(57)【要約】      （修正有）【課題】部品数の増加により組立工程を複雑にしたり、軸径を太くする等の構造変更をすることなく、既存製品の構造をそのまま用いてリターン時の衝撃による筆記体内で生じる不具合を解消できる多芯筆記具を提供する。【解決手段】先端を開口する軸筒２内に複数の筆記体４を弾発部材６により後方に付勢して収容し、前記筆記体４の後端に摺動体５をそれぞれ連接し、前記摺動体外面の操作部５１を軸筒後方の外周面に設けられる複数の窓孔２３から径方向外方に突出させ、前記操作部５１を前方にスライドすることによりいずれか１本の筆記体４が前進してペン先４１を軸筒の先端開口部２４より突出させると共に、前進位置にある他の筆記体４を後退させる多芯筆記具１であって、前記摺動体５が、ショアＡ硬度７０〜９５のエラストマーで構成されると共に、摺動体５の少なくとも内面にＤＬＣコーティングを施してなる。【選択図】図１
2011088287.tif 000002
【特許請求の範囲】
【請求項１】
先端を開口する軸筒内に複数の筆記体を弾発部材により後方に付勢して収容し、前記筆記体の後端に摺動体をそれぞれ連接し、前記摺動体外面の操作部を軸筒後方の外周面に設けられる複数の窓孔から径方向外方に突出させ、前記操作部を前方にスライドすることによりいずれか１本の筆記体が前進してペン先を軸筒の先端開口部より突出させると共に、前進位置にある他の筆記体を後退させる多芯筆記具であって、前記摺動体がショアＡ硬度７０〜９５のエラストマーで構成されると共に、摺動体の少なくとも内面にＤＬＣコーティングを施してなる多芯筆記具。
【請求項２】
前記窓孔の後方が開閉自在な開口部を備え、前記開口部を介して筆記体及び摺動体を軸筒内から取出可能且つ軸筒内に挿入可能に構成される請求項１記載の多芯筆記具。
【発明の詳細な説明】
【技術分野】
【０００１】
本発明は、多芯筆記具に関する。詳細には、軸筒内に複数の筆記体を収容し、出没操作によって選択的に一本の筆記体のペン先を軸筒先端から突出させる多芯筆記具に関する。
【背景技術】
【０００２】
従来、多芯筆記具のうち、後端に摺動体を連接する複数の筆記体を弾発部材により後方に付勢して軸筒内に収容することで、前方へのスライド操作によりいずれか一本の筆記体のペン先が突出すると共に、前進位置にある他の筆記体が後退する多芯筆記具、所謂スライド式筆記具においては、筆記体の後退時（リターン時）に軸筒の受部と摺動体とを衝合させることにより停止させてペン先を収納している。
前記構造では、軸筒の受部と摺動体とが衝合した際に前後方向の強い衝撃を生じるため、筆記体が低粘度インキや剪断減粘性を有するインキを内蔵したボールペンやシャープペンシルである場合には、衝撃によりインキ移動や空気の混入が生じたり、収容するシャープペンシル芯が折れてしまうことがあった。
そこで前記問題を解決するために、リターン時に摺動体と衝合する軸筒後端の受部と摺動体との間に緩衝部材を設けることで、リターン時の衝撃を緩和し、シャープペンシル芯が折れることやインキ移動を防止する複式筆記具が開示されている（例えば特許文献１、２参照）。
【０００３】
前記特許文献で開示される多芯筆記具は、緩衝部材を介することでリターン時の衝撃を緩和し、シャープペンシル芯が折れることを防止できるものの、緩衝部材を追加することにより部品数が増加し、構造が複雑化するため、組立工程が複雑となると共に、製造コストが高くなるものである。
【０００４】
そこで摺動体前方にリターン時の衝合箇所となる鍔部を設け、該鍔部の前後両方向に凹部を形成することで緩衝作用を付与したものが開示されている（例えば特許文献３参照）。
前記特許文献３で開示される多芯筆記具では、摺動体と緩衝部分が一部材で構成されるため、製造コストを増加することなく衝撃を低減できるものの、後端受部よりもリターン時の接触面積が小さいために衝撃緩和効果が低いものであると共に、摺動体の操作部両側外方（窓孔方向）に鍔部を形成するため幅広となり、収容する摺動体の数が多くなるにつれて多芯筆記具の軸筒外径が太くなるものである。また、摺動体の形状や軸筒（受部）の構造の変更が必要となるため新規の金型が必要となり、既存製品には適用できないものであった。
【先行技術文献】
【特許文献】
【０００５】
【特許文献１】実開平５−２８６８７号公報
【特許文献２】特開平８−２０７４９１号公報
【特許文献３】特開２００９−８２６号公報
【発明の概要】
【発明が解決しようとする課題】
【０００６】
本発明は、前記従来の問題点を解決するものであって、部品数の増加により組立工程を複雑にしたり、軸径を太くする等の構造変更をすることなく、既存製品の構造をそのまま用いてリターン時の衝撃による筆記体内で生じる不具合を解消できる多芯筆記具を提供するものである。尚、本発明において、「前」とはペン先側を指し、「後」とは反対側を指す。
【課題を解決するための手段】
【０００７】
本発明は、先端を開口する軸筒内に複数の筆記体を弾発部材により後方に付勢して収容し、前記筆記体の後端に摺動体をそれぞれ連接し、前記摺動体外面の操作部を軸筒後方の外周面に設けられる複数の窓孔から径方向外方に突出させ、前記操作部を前方にスライドすることによりいずれか１本の筆記体が前進してペン先を軸筒の先端開口部より突出させると共に、前進位置にある他の筆記体を後退させる多芯筆記具であって、前記摺動体がショアＡ硬度７０〜９５のエラストマーで構成されると共に、摺動体の少なくとも内面にＤＬＣコーティングを施してなることを要件とする。
更に、前記窓孔の後方が開閉自在な開口部を備え、前記開口部を介して筆記体及び摺動体を軸筒内から取出可能且つ軸筒内に挿入可能に構成されることを要件とする。
【発明の効果】
【０００８】
本発明により、部品数の増加により組立工程を複雑にしたり、筆記具の軸径を太くする等の構造変更を行うことなく、既存製品の構造をそのまま用いてリターン時の衝撃による筆記体内で生じる不具合を解消できる多芯筆記具を提供できる。
【０００９】
請求項２により、ユーザーが任意に選択した筆記体を容易に収容できる構造の多芯筆記具であっても、既存の構造をそのまま用いてリターン時の衝撃による不具合を解消できる。
【図面の簡単な説明】
【００１０】
【図１】本発明の多芯筆記具の実施例の縦断面図である。
【図２】図１の要部拡大断面図である。
【発明を実施するための形態】
【００１１】
図１及び図２に本発明の実施の形態を示す。尚、本発明は以下の構成の多芯筆記具に限定されるものではなく、汎用構造の多芯筆記具であっても適用できる。
本実施の形態の多芯筆記具１は、軸筒２内に複数本（具体的には２本）の筆記体４（例えばボールペン、マーキングペン、シャープペンシル等）が前後方向に移動可能に収容されている。前記各筆記体４は、圧縮コイルスプリングよりなる弾発部材６により後方に付勢されている。
尚、軸筒２内に収容される筆記体４の本数は二本以上であればよく、具体的には、二本、三本、四本、五本、六本等が挙げられ、いずれの場合も横断面でみた際に軸心を中心とした同一円周上に等間隔に配置されることが好ましい。
【００１２】
前記軸筒２は、筆記体４のペン先４１が突出可能な先端開口部２４が軸方向に貫設される円筒体である前軸２１と、該前軸２１の後端部に螺合または圧入により取り付けられる円筒状の後軸２２によって構成される。
前記軸筒２は、ポリカーボネート、ポリエチレン、ＡＢＳ等の合成樹脂や金属により形成される。
【００１３】
前記後軸２２の後方側壁には、複数本（具体的には２本）の前後方向に延びる細長状の窓孔２３が径方向に貫設される。前記二本の窓孔２３は、互いに、軸線に対して対称の位置（三本以上の場合は軸心に対して径方向に均等な位置）に形成される。
また、前記窓孔２３の相互間の側壁内面には、前後方向に延びるリブ等からなる係止壁部が設けられ、ペン先が突出した際に筆記体４が摺動体５の後端で係止されるように構成される（図示せず）。
更に、前記後軸２２の窓孔２３の相互間の側壁外面には、クリップを設けることもできる。
【００１４】
前記後軸２２の後端部には、窓孔２３後方を開閉自在にする蓋部３が設けられ、該蓋部３を開放した状態で摺動体５に接続された筆記体４の交換が可能な構造となっている。
前記蓋部３の径方向の一端部は、クリップ基部に対してヒンジ部によって回動自在に接続されている。また、前記蓋部３の前方は没入時に筆記体４と連結された摺動体５の後端が衝止されるため、係合部分（具体的には軸筒側被係合部と係合するための係合凹部または係合孔部）を形成して容易に開放されないように構成される。
尚、前記蓋部３はヒンジ部により回動自在に接続される構成以外にも、屈曲変形可能な可撓性を有する連結部または薄肉部により一体に接続される構成であってもよいし、回転開放型、着脱型等であってもよい。
【００１５】
前記軸筒内に収容される二本の筆記体４はボールペンレフィルであり、前端にボールが回転可能に抱持されたボールペンチップ（ペン先４１）と、該ボールペンチップを前端に備え且つ後端が開口されたインキ収容管４２とからなる。前記インキ収容管４２の内部には、剪断減粘性を有する水性ゲルインキ、低粘度の水性インキ、低粘度の油性インキ、または高粘度の油性インキ等からなるインキ４３が収容され、更に必要に応じて、インキ４３の後端に、インキ４３の消費に伴って前進する高粘度流体からなるインキ追従体４４が充填される。
尚、前記ボールペンチップは、ボールを弾発体等により前方に付勢し、前端縁部の内面にボールを密接させる構成でもよい。また、ボールペンチップは、インキ収容管４２の前端開口部に圧入等により直接取り付けてもよいが、本実施の形態ではペン先ホルダーを介してインキ収容管４２の前端開口部に固着されている。
本実施の形態では筆記体４としてボールペンレフィルを採用しているが、ペン先に繊維や樹脂からなるマーキングペンチップを用いたマーキングペン形態や、シャープペンシル形態等を適用することも可能である。更に、インキ収容管内に繊維収束体を収容することもできる。
【００１６】
前記各筆記体４の後端（即ちインキ収容管４２の後端開口部）には、エラストマー製の摺動体５〔具体的には、ショアＡ硬度８０のＥＰＤＭ（エチレン−プロピレン−ジエン系モノマーの三元共重合体ゴム）〕が取り付けられる。前記各摺動体５は、軸筒２の窓孔２３から外部に突出する操作部５１と、インキ収容管４２後端との接続箇所後方に形成される鍔部５２とを備えており、操作部５１を前方に移動することで前方に接続される筆記体４のペン先４１を突出する。また、前記鍔部５２は、前面で弾発部材６の後端を係止しており、ペン先没入時には該鍔部５２が後方へ弾発されることでペン先４１が収納状態となるように構成されている。
【００１７】
前記摺動体５を構成するエラストマーは、熱可塑性エラストマーやゴム等の弾性を有する汎用のものが適用でき、具体的には、ショアＡ硬度が７０〜９５の範囲にあるエラストマーで構成される。前記エラストマーを用いて摺動体５を成形することにより、摺動体５全体が緩衝部となるので、衝合時の衝撃を吸収することが可能になり、筆記体収納時に緩やかに停止でき、筆記体４への影響を緩和できる。
しかしながら、前記エラストマーは硬質樹脂と比べて摩耗しやすいため、作動時に軸筒内部と擦れ合い、他の摺動体内面（係止部分等）と接触する摺動体５においては、長期の使用によって作動不良等の不具合を生じる虞がある。また、材質的に滑りが悪く、出没操作性を悪化させることがある。
そこで摺動体５の少なくとも内面（軸筒や他の摺動体と接触する部分）にダイヤモンド状炭素膜によるコーティング７（ＤＬＣコーティング）を施すことで、エラストマーの柔軟性を維持したまま、擦過や接触による変形を抑制できると共に、コーティング部７に潤滑性を付与できるため、前述の不具合を解消できるものである。本実施形態では、摺動体５の内面のみにコーティング部７を形成しているが、操作部５１側（外面）や側面をコーティングすることもできる（図２参照）。
【００１８】
前記ＤＬＣコーティングを施す方法（ダイヤモンド状炭素膜形成方法）としては、エラストマーのように比較的耐熱性に劣る材料を用いた基材に熱的損傷を与えない温度範囲で膜形成できる方法として、プラズマＣＶＤ法、スパッタリング法、イオンプレーティング法等を挙げることができる。尚、本願ではプラズマＣＶＤ法によりコーティング部７を形成した。
【００１９】
尚、前記摺動体５を形成するエラストマーとしては、ショアＡ硬度が７０〜９５の範囲にある熱可塑性エラストマーやゴムが適用でき、具体的に熱可塑性エラストマーとしては、オレフィン系、ウレタン系、スチレン系、ポリエステル系、ポリアミド系、１，２−ポリブタジエン系、塩ビ系、フッ素系等が挙げられ、ゴムとしては、天然ゴム、ブチルゴム、エチレンプロピレンゴム、クロロプレンゴム、塩素化ポリエチレンゴム、エピクロルヒドリンゴム、アクリルゴム、ニトリルゴム、ウレタンゴム、シリコンゴム、フッ素ゴム等が挙げられる。
【００２０】
前記構成からなる多芯筆記具１を用いて筆記する場合、摺動体５の操作部５１を前方にスライドさせることで、接続される筆記体４のペン先４１が先端開口部２４より突出されると共に、係止部（摺動体内面の凸部）が軸筒２内に形成される係止用突起に係止され筆記可能状態となる。前記操作時に、摺動体５内面のＤＬＣコーティング部７が軸筒内部（例えば、前記係止用突起を構成するリブ等）と接触して擦れ合うが、摩耗等を生じることなく滑らかに移動させることができる。
前記ペン先４１を収納する場合には、他の摺動体を前方にスライドさせることで、先の摺動体５の係止部が係止用突起から外れ、摺動体５を後方に付勢する弾発部材６により摺動体３が後方へ押圧されて収納される。その際、摺動体後端が軸筒２の受部（蓋部３）に衝合して停止するが、前記衝合時には、摺動体５自体の弾性によりリターン衝撃を吸収して筆記体４への影響を緩和することができる。
【符号の説明】
【００２１】
１  多芯筆記具
２  軸筒
２１  前軸
２２  後軸
２３  窓孔
２４  先端開口部
３  蓋部
４  筆記体
４１  ペン先
４２  インキ収容管
４３  インキ
４４  インキ追従体
５  摺動体
５１  操作部
５２  鍔部
６  弾発部材（コイルスプリング）
７  コーティング部
【図１】
2011088287.tif 000003
【図２】
2011088287.tif 000004